(57)【要約】【課題】窓枠とサッシとの境界の気密性を高めることができ、断熱効果が高い窓部の断熱構造を提供する。【解決手段】断熱性パッキン材１１が、ポリカーボネートの発泡体を素材とし、細長く、コの字型の断面形状を成している。断熱性パッキン材１１は、窓枠１の各縦枠材２および各横枠材３の窓枠１の内側面１ａ、屋外側側面１ｂおよび屋内側側面１ｃを覆うよう、各縦枠材２および各横枠材３ごとに４つ設けられている。断熱性パッキン材１１は、窓枠１の内側にサッシ４を取り付けたとき、窓枠１とサッシ４との間を気密的に塞ぐよう設けられている。コーキング材１２が、断熱性パッキン材１１の窓枠１の屋外側側面側の側縁部１１ａと、外壁５との隙間を気密的に塞ぐよう設けられている。【選択図】図１
0003120140.tif 000002
【実用新案登録請求の範囲】
【請求項１】
窓枠の内側にサッシが取り付けられる窓部の断熱構造であって、
前記窓枠と前記サッシとの間を気密的に塞ぐ断熱性パッキン材を有することを、
特徴とする窓部の断熱構造。
【請求項２】
前記断熱性パッキン材は前記窓枠の屋外側側面および屋内側側面に延びて各側面に密着していることを、特徴とする請求項１記載の窓部の断熱構造。
【請求項３】
前記窓枠は１対の縦枠材および１対の横枠材により矩形状に形成され、
前記窓枠の各縦枠材と各縦枠材の外側に設けられた柱材との間を塞ぐ断熱材を有することを、
特徴とする請求項１または２記載の窓部の断熱構造。
【考案の詳細な説明】
【技術分野】
【０００１】
本考案は、窓枠の内側にサッシが取り付けられる窓部の断熱構造に関する。
【背景技術】
【０００２】
従来、窓枠の内側に断熱サッシを取り付けることにより、窓部での断熱性を高めるものがある（例えば、特許文献１参照）。
【０００３】
【特許文献１】特開２００３−３２８６４４号公報
【考案の開示】
【考案が解決しようとする課題】
【０００４】
しかしながら、特許文献１記載のような従来の断熱サッシでは、サッシ自体の断熱性は優れるが、窓枠とサッシとの境界から外気が入って断熱性が損なわれるという課題があった。
【０００５】
本考案は、このような課題に着目してなされたもので、窓枠とサッシとの境界の気密性を高めることができ、断熱効果が高い窓部の断熱構造を提供することを目的とする。
【課題を解決するための手段】
【０００６】
上記目的を達成するために、本考案に係る窓部の断熱構造は、窓枠の内側にサッシが取り付けられる窓部の断熱構造であって、前記窓枠と前記サッシとの間を気密的に塞ぐ断熱性パッキン材を有することを、特徴とする。
【０００７】
本考案に係る窓部の断熱構造は、断熱性パッキン材が窓枠とサッシとの間を気密的に塞ぐよう設けられているため、窓枠とサッシとの境界の気密性を高めることができる。このため、窓枠とサッシとの境界から外気が入るのを防ぐことができ、断熱効果が高い。さらに、断熱性パッキン材により、窓部の防水性能や結露の抑止効果を高めることができ、地震で窓部ががたついて破損するのを防ぐこともできる。
【０００８】
なお、本考案に係る窓部の断熱構造で、断熱性パッキン材は、ポリカーボネート、ポリスチレン、ポリエチレン、ポリプロピレン、ポリウレタンまたはフェノール樹脂のプラスチックや、それらの発泡体から成ることが好ましい。また、断熱性パッキン材の窓枠の屋外側側面側の側縁部と、外壁との隙間を気密的に塞ぐコーキング材を有していてもよい。この場合、コーキング材により、断熱性パッキン材と外壁との間から雨水などが入り込むのを防ぐことができ、防水性能や断熱効果などをさらに高めることができる。
【０００９】
本考案に係る窓部の断熱構造で、前記断熱性パッキン材は前記窓枠の屋外側側面および屋内側側面に延びて各側面に密着していることが好ましい。この場合、断熱性パッキン材が窓枠の屋外側側面および屋内側側面に延びて各側面に密着することにより、窓枠および窓部の断熱効果や防水性能をより高めることができる。特に、断熱性パッキン材が窓枠の屋外側側面、屋内側側面またはその両方を覆っていることが好ましい。この場合、断熱性パッキン材で窓枠の露出面を全て覆うことによって、窓枠および窓部の断熱効果や防水性能をより高めることができる。
【００１０】
本考案に係る窓部の断熱構造で、前記窓枠は１対の縦枠材および１対の横枠材により矩形状に形成され、前記窓枠の各縦枠材と各縦枠材の外側に設けられた柱材との間を塞ぐ断熱材を有していてもよい。この場合、各縦枠材と各柱材との間に断熱材を設けない場合に比べ、断熱効果が高い。なお、断熱効果をさらに高めるために、断熱材と各縦枠材および各柱材との境界が、断熱性パッキン材により気密的に塞がれていることが好ましい。
【考案の効果】
【００１１】
本考案によれば、窓枠とサッシとの境界の気密性を高めることができ、断熱効果が高い窓部の断熱構造を提供することができる。
【考案を実施するための最良の形態】
【００１２】
以下、図面に基づき本考案の実施の形態について説明する。
図１乃至図３は、本考案の実施の形態の窓部の断熱構造を示している。
図１乃至図３に示すように、窓部の断熱構造は、断熱性パッキン材１１とコーキング材１２と断熱材１３とを有している。
窓部は、窓枠１が１対の縦枠材２および１対の横枠材３により矩形状に形成されている。各縦枠材２および各横枠材３は、木製の角材から成っている。
【００１３】
図１および図２に示すように、断熱性パッキン材１１は、ポリカーボネートの発泡体を素材とし、細長く、コの字型の断面形状を成している。断熱性パッキン材１１は、窓枠１の各縦枠材２および各横枠材３の窓枠１の内側面１ａ、屋外側側面１ｂおよび屋内側側面１ｃに延びてそれらを覆い、各側面１ｂ，１ｃに密着するよう、各縦枠材２および各横枠材３ごとに４つ設けられている。断熱性パッキン材１１は、窓枠１の内側にサッシ４を取り付けたとき、窓枠１とサッシ４との間を気密的に塞ぐよう設けられている。
【００１４】
図１に示すように、コーキング材１２は、断熱性パッキン材１１の窓枠１の屋外側側面側の側縁部１１ａと、外壁５との隙間を気密的に塞ぐよう設けられている。
図１に示すように、断熱材１３は、窓枠１の各縦枠材２と、各縦枠材２のそれぞれの外側に設けられた柱材６との間を塞ぐよう設けられている。
【００１５】
次に、作用について説明する。
本考案の実施の形態の窓部の断熱構造は、断熱性パッキン材１１が窓枠１とサッシ４との間を気密的に塞ぐよう設けられているため、窓枠１とサッシ４との境界の気密性を高めることができる。このため、窓枠１とサッシ４との境界から外気が入るのを防ぐことができ、断熱効果が高い。また、断熱性パッキン材１１が窓枠１の内側面１ａ、屋外側側面１ｂおよび屋内側側面１ｃの全ての露出面を覆っているため、窓枠１自体の断熱性も高めることができる。さらに、断熱性パッキン材１１により、窓部の防水性能や結露の抑止効果を高めることができ、地震で窓部ががたついて破損するのを防ぐこともできる。
【００１６】
また、コーキング材１２が、断熱性パッキン材１１の窓枠１の屋外側側面側の側縁部１１ａと、外壁５との隙間を気密的に塞ぐよう設けられているため、断熱性パッキン材１１と外壁５との間から雨水などが入り込むのを防ぐことができ、防水性能や断熱効果などをさらに高めることができる。
【００１７】
図３（ａ）に示すように、一般的な窓部の構造では、各縦枠材２と各柱材６との間には、薄い板材７しか設けられていないため、断熱サッシ４などを使用しても、この板材７の部分で断熱性が損なわれるという問題があった。これに対して、本考案の実施の形態の窓部の断熱構造では、断熱材１３が各縦枠材２と各柱材６との間を塞ぐよう設けられているため、図３（ａ）の場合に比べて断熱効果が高い。
【００１８】
なお、図３（ｂ）に示すように、断熱性パッキン材１１は、窓枠１の屋外側側面１ｂを覆い、かつ窓枠１とサッシ４との間を気密的に塞ぐよう設けられ、断熱材１３と各縦枠材２との境界が断熱性パッキン材１１により気密的に塞がれ、断熱材１３と各柱材６との境界が別の断熱性パッキン材２１により気密的に塞がれていてもよい。この場合、さらに断熱効果を高めることができる。
【図面の簡単な説明】
【００１９】
【図１】本考案の実施の形態の窓部の断熱構造を示す縦断面図である。
【図２】本考案の実施の形態の窓部の断熱構造の、断熱性パッキン材を示す斜視図である。
【図３】（ａ）一般的な窓部の構造を示す横断面図、（ｂ）本考案の実施の形態の窓部の断熱構造を示す横断面図である。
【符号の説明】
【００２０】
１    窓枠
２    縦枠材
３    横枠材
４    サッシ
５    外壁
６    柱材
１１  断熱性パッキン材
１２  コーキング材
１３  断熱材
【図１】
0003120140.tif 000003
【図２】
0003120140.tif 000004
【図３】
0003120140.tif 000005